【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
光源からの光を信号光と参照光とに分割し、被検眼の眼底を経由した前記信号光と参照物体を経由した参照光とを干渉させて干渉光を生成する光学系と、
前記生成された干渉光を検出して検出信号を生成する検出手段と、
前記眼底に対する前記信号光の照射位置を走査する走査手段と、
前記走査に伴い前記生成される複数の前記検出信号に基づいて前記眼底の断層画像を形成する画像形成手段と、
前記形成された断層画像に描写された前記眼底の特徴部位を特定する特定手段と、
前記断層画像のフレーム内における前記特定された特徴部位の位置に基づいて、前記特徴部位を前記フレーム内の所定位置に描写させるように前記走査手段を制御して前記信号光の照射位置を変更する制御手段と、
を備えることを特徴とする眼底観察装置。
【請求項２】
前記制御手段は、前記特徴部位を前記フレームの中心位置に描写させるように前記信号光の照射位置を変更する、
ことを特徴とする請求項１に記載の眼底観察装置。
【請求項３】
前記走査手段は、所定の走査軌跡に沿って前記信号光の照射位置を反復して走査し、
前記画像形成手段は、前記反復して照射位置が走査される前記信号光に基づく干渉光の検出信号に基づいて、前記所定の走査軌跡に沿った前記眼底の断層画像を順次に形成し、
前記特定手段は、前記順次に形成される前記断層画像に描写された前記特徴部位を順次に特定し、
前記制御手段は、前記順次に特定される前記特徴部位の前記フレーム内における位置に基づいて、前記特徴部位を前記所定位置に描写させるように前記信号光の照射位置を順次に変更する、
ことを特徴とする請求項１又は請求項２に記載の眼底観察装置。
【請求項４】
前記特徴部位は、前記眼底の黄斑中心又は視神経乳頭中心であり、
前記所定の走査軌跡は、放射状に配列された複数の直線軌跡を含み、
前記画像形成手段は、前記複数の直線軌跡のそれぞれについて、当該直線軌跡に沿った前記断層画像を順次に形成し、
前記特定手段は、前記複数の直線軌跡のそれぞれについて、前記順次に形成される当該直線軌跡に沿った前記断層画像に描写された前記特徴部位を順次に特定し、
前記制御手段は、前記複数の直線軌跡のそれぞれについて、前記順次に特定される前記特徴部位の当該フレーム内における位置に基づいて、前記特徴部位を前記所定位置に描写させるように前記信号光の照射位置を順次に変更する、
ことを特徴とする請求項３に記載の眼底観察装置。
【請求項５】
前記特徴部位は、前記眼底の黄斑と視神経乳頭との間の眼底中心であり、
前記所定の走査軌跡は、平行に配列された複数の直線軌跡を含み、
前記画像形成手段は、前記複数の直線軌跡のそれぞれについて、当該直線軌跡に沿った前記断層画像を順次に形成し、
前記特定手段は、前記複数の直線軌跡のそれぞれについて、前記順次に形成される当該直線軌跡に沿った前記断層画像に描写された前記特徴部位を順次に特定し、
前記制御手段は、前記複数の直線軌跡のそれぞれについて、前記順次に特定される前記特徴部位の当該フレーム内における位置に基づいて、前記特徴部位を前記所定位置に描写させるように前記信号光の照射位置を順次に変更する、
ことを特徴とする請求項３に記載の眼底観察装置。
【請求項６】
前記制御手段は、前記特定された前記特徴部位の位置と前記所定位置との変位を求め、前記求められた変位に基づいて前記信号光の照射位置を変更する、
ことを特徴とする請求項３〜請求項５のいずれか一項に記載の眼底観察装置。
【請求項７】
前記制御手段は、前記特徴部位が前記所定位置に描写されているか判断する判断手段を含み、
前記描写されていると判断されたときに、前記制御手段は、前記光学系及び前記走査手段を制御して前記信号光の照射位置を走査させつつ新たな干渉光を生成させ、前記画像形成手段を制御して該新たな干渉光に基づく新たな断層画像を形成させ、
前記描写されていないと判断されたときに、前記制御手段は、前記光学系及び前記走査手段を制御して前記信号光の照射位置を再び走査させつつ新たな干渉光を生成させ、前記画像形成手段を制御して該新たな干渉光に基づく新たな断層画像を形成させ、前記特定手段を制御して該新たな断層画像に描写された前記特徴部位を特定させ、更に、該新たな断層画像のフレーム内における該特定された特徴部位の位置に基づいて、前記特徴部位を該フレーム内の所定位置に描写させるように前記信号光の照射位置を変更する、
ことを特徴とする請求項１〜請求項６のいずれか一項に記載の眼底観察装置。
【請求項８】
前記判断手段は、前記特徴部位の位置と前記所定位置との変位を求め、前記求められた変位が所定閾値未満である場合に、前記所定位置に前記特徴部位が描写されていると判断し、前記変位が前記所定閾値以上である場合に、前記所定位置に前記特徴部位が描写されていないと判断する、
ことを特徴とする請求項７に記載の眼底観察装置。
【請求項９】
前記被検眼について過去に形成された眼底の断層画像を記憶する記憶手段を更に備え、
前記特定手段は、前記過去の断層画像に描写された前記特徴部位と、前記画像形成手段により新たに形成された前記眼底の断層画像に描写された前記特徴部位とをそれぞれ特定し、
前記制御手段は、前記新たな断層画像のフレーム内における前記特徴部位の位置を、前記過去の断層画像のフレーム内における前記特徴部位の位置に一致させるように、前記信号光の照射位置を変更する、
ことを特徴とする請求項１に記載の眼底観察装置。
【請求項１０】
前記被検眼について過去に形成された眼底の断層画像のフレーム内における前記特徴部位の位置情報を記憶する記憶手段を更に備え、
前記特定手段は、前記画像形成手段により新たに形成された前記眼底の断層画像に描写された前記特徴部位を特定し、
前記制御手段は、前記新たな断層画像のフレーム内における前記特徴部位の位置を、前記位置情報に示す前記特徴部位の位置に一致させるように、前記信号光の照射位置を変更する、
ことを特徴とする請求項１に記載の眼底観察装置。
【請求項１１】
前記制御手段は、前記新たな前記特徴部位の位置と前記過去の前記特徴部位の位置との変位を求め、前記求められた変位に基づいて前記信号光の照射位置を変更する、
ことを特徴とする請求項９又は請求項１０に記載の眼底観察装置。
【請求項１２】
前記光学系は、前記特徴部位に対応する方向に前記被検眼を固視させるための固視標を前記眼底に投影する投影手段を含み、前記固視標が投影された状態の前記眼底を経由した前記信号光に基づく干渉光を生成する、
ことを特徴とする請求項１〜請求項１１のいずれか一項に記載の眼底観察装置。
【手続補正２】
【補正対象書類名】明細書
【補正対象項目名】００１６
【補正方法】変更
【補正の内容】
【００１６】
上記目的を達成するために、請求項１に記載の発明は、光源からの光を信号光と参照光とに分割し、被検眼の眼底を経由した前記信号光と参照物体を経由した参照光とを干渉させて干渉光を生成する光学系と、前記生成された干渉光を検出して検出信号を生成する検出手段と、前記眼底に対する前記信号光の照射位置を走査する走査手段と、前記走査に伴い前記生成される複数の前記検出信号に基づいて前記眼底の断層画像を形成する画像形成手段と、前記形成された断層画像に描写された前記眼底の特徴部位を特定する特定手段と、前記断層画像のフレーム内における前記特定された特徴部位の位置に基づいて、前記特徴部位を前記フレーム内の所定位置に描写させるように前記走査手段を制御して前記信号光の照射位置を変更する制御手段と、を備えることを特徴とする眼底観察装置である。